(57)【特許請求の範囲】
【請求項１】
ブロック状にして、少なくとも一面とこれの背面とが平行になるクッション体と、
帯状幅を有し、前記一面と前記背面の夫々の領域を含んで前記クッション体に巻き付いて保持されるゴム製環体と、
前記一面に当接する前記環体の部位に取付けられ、該環体の外面側に露出形成された第一マグネット体と、
前記背面に当接する前記環体の部位に取付けられ、該環体の外面側に露出形成された第二マグネット体と、を具備し、
降ろしたシャッタ板に前記第一マグネット体を磁力吸着させ、且つ該シャッタ板よりも内側の建具又は該建具に固着した磁石吸引片に前記第二マグネット体を磁力吸着させて、該シャッタ板と該建具間に介在させることを特徴とするシャッタ板の風圧変形抑制具。
【請求項２】
前記クッション体を直方体にして、前記第二マグネット体寄りの前記環体の部位とこれに当接する前記クッション体の部位とが接着固定され、さらに前記第一マグネット体の頂面と該第二マグネット体の頂面が平行である請求項１記載のシャッタ板の風圧変形抑制具。
【請求項３】
前記第一マグネット体を取付けた前記環体の内面に第一板片の基端部が固定されるか、又は該環体の外面に該第一板片の基端部が固定され且つ該基端部を介して前記第一マグネット体が前記環体に取付けられると共に、前記第二マグネット体を取付けた前記環体の内面に第二板片の基端部が固着されるか、又は該環体の外面に該第二板片の基端部が固定され且つ該基端部を介して前記第二マグネット体が前記環体に取付けられ、該第一板片と該第二板片の各先端部を該環体及び前記クッション体から外方へそれぞれ突出形成し、且つ該第一板片の先端部と該第二板片の先端部とをつなぐ紐又は鎖が取付けられた請求項１又は２に記載のシャッタ板の風圧変形抑制具。
【請求項４】
前記第一板片に係る基端部側の板面が、前記クッション体の表面に当接するか又は前記環体を介して前記クッション体の表面に当接し、且つ該クッション体から外方へ突出する先端部の根元部位に、前記第二板片側の先端へ向けて接近する傾斜板面部分を形成し、さらに該傾斜板面部分の先端から延在する該第一板片の先端部の先端部分と前記第二板片の先端部とが平行になるよう配された請求項３記載のシャッタ板の風圧変形抑制具。
【請求項５】
直方体の前記クッション体が、第一マグネット体側及び第二マグネット体側を形成する両クッション体部分が軟質発泡体層からなり、且つ両クッション体部分の間に、該軟質発泡体層よりも低弾性の部材層を介在させた三層構造にして一体化している請求項２乃至４のいずれか１項に記載のシャッタ板の風圧変形抑制具。
【発明の詳細な説明】
【技術分野】
【０００１】
本発明は建物の開口を開閉するシャッタ装置に係るシャッタ板の風圧変形抑制具に関する。
【背景技術】
【０００２】
シャッタ装置７は、シャッタケース７１に収容していたシャッタ板７２が、該シャッタ板７２の両側のガイドレール７３に案内されて下降して、車庫や建家等の開口７０を塞ぐ(図３,図９)。
シャッタ板７２は、複数のスラット７２１を連結して構成されており、シャッタケース７１内で巻かれた状態から、該シャッタ板７２の先端部を手で掴んで下ろすことによって、開口７０を塞ぐ大きな平板状の遮蔽板へと形状変化する。そのため、頑丈に造るにも限界があり、シャッタ板７２が強風で煽られ変形してしまう虞がある。
こうしたことから、シャッタ板７２に別部材を取り付けて、耐圧性を高めるシャッタ装置が提案されている（例えば特許文献１）。
【先行技術文献】
【特許文献】
【０００３】
【特許文献１】特開２０１５−５９４１４号公報
【発明の開示】
【発明が解決しようとする課題】
【０００４】
しかるに、特許文献１は請求項１の「…スラットの裏面側に設けられ、かつ屋内側を向いて開口する係合用の孔部を形成しているスラット固定用のプレート部」を必須構成要素とするため、実施例に示す該プレート部のスラットへの溶接工事を要し、一般家庭で後付けするとなると、業者に頼まねばならず大掛かりになる。
さらに、請求項１の「スラットカーテンの閉状態設定時にこのスラットカーテンよりも屋内側に起立状態で固定される中柱」を必須構成要件とし、中柱が設置困難な場合に適用できなかった。車庫等のシャッタ装置は中柱を設けることができても、例えば図３に示す住宅応接間等で、内側に引戸が在る開口のシャッタ装置には、中柱を設けるのが困難であった。
また、シャッタ板の両側部分と上下動を案内する両ガイドレールとの間に隙間が設けられており、該シャッタ板が強風の風圧で揺れて、変形に至らなくてもカタカタ音を立てる場合がある。とりわけ、図３の住宅用シャッタ板では、部屋内に住民が居り、スラット同士の擦れ音や、この種のカタカタ音が該住民に耳障りになる。
【０００５】
本発明は、上記問題を解決するもので、一般家庭でも簡単に取付け取外しでき、シャッタ板の風圧による変形やカタカタ音を抑制し、さらに中柱のない住宅設置のシャッタ板にも適用可能なシャッタ板の風圧変形抑制具を提供することを目的とする。
【課題を解決するための手段】
【０００６】
上記目的を達成すべく、請求項１に記載の発明の要旨は、ブロック状にして、少なくとも一面とこれの背面とが平行になるクッション体と、帯状幅を有し、前記一面と前記背面の夫々の領域を含んで前記クッション体に巻き付いて保持されるゴム製環体と、前記一面に当接する前記環体の部位に取付けられ、該環体の外面側に露出形成された第一マグネット体と、前記背面に当接する前記環体の部位に取付けられ、該環体の外面側に露出形成された第二マグネット体と、を具備し、降ろしたシャッタ板に前記第一マグネット体を磁力吸着させ、且つ該シャッタ板よりも内側の建具又は該建具に固着した磁石吸引片に前記第二マグネット体を磁力吸着させて、該シャッタ板と該建具間に介在させることを特徴とするシャッタ板の風圧変形抑制具にある。
請求項２の発明たるシャッタ板の風圧変形抑制具は、請求項１で、クッション体を直方体にして、前記第二マグネット体寄りの前記環体の部位とこれに当接する前記クッション体の部位とが接着固定され、さらに前記第一マグネット体の頂面と該第二マグネット体の頂面が平行であることを特徴とする。請求項３の発明たるシャッタ板の風圧変形抑制具は、請求項１又は２で、第一マグネット体を取付けた前記環体の内面に第一板片の基端部が固定されるか、又は該環体の外面に該第一板片の基端部が固定され且つ該基端部を介して前記第一マグネット体が前記環体に取付けられると共に、前記第二マグネット体を取付けた前記環体の内面に第二板片の基端部が固着されるか、又は該環体の外面に該第二板片の基端部が固定され且つ該基端部を介して前記第二マグネット体が前記環体に取付けられ、該第一板片と該第二板片の各先端部を該環体及び前記クッション体から外方へそれぞれ突出形成し、且つ該第一板片の先端部と該第二板片の先端部とをつなぐ紐又は鎖が取付けられたことを特徴とする。請求項４の発明たるシャッタ板の風圧変形抑制具は、請求項３で、第一板片に係る基端部側の板面が、前記クッション体の表面に当接するか又は前記環体を介して前記クッション体の表面に当接し、且つ該クッション体から外方へ突出する先端部の根元部位に、前記第二板片側の先端へ向けて接近する傾斜板面部分を形成し、さらに該傾斜板面部分の先端から延在する該第一板片の先端部の先端部分と前記第二板片の先端部とが平行になるよう配されたことを特徴とする。請求項５の発明たるシャッタ板の風圧変形抑制具は、請求項１〜４で、直方体のクッション体が、第一マグネット体側及び第二マグネット体側を形成する両クッション体部分が軟質発泡体層からなり、且つ両クッション体部分の間に、該軟質発泡体層よりも低弾性の部材層を介在させた三層構造にして一体化していることを特徴とする。
【発明の効果】
【０００７】
本発明のシャッタ板の風圧変形抑制具は、シャッタ板の風圧による変形やカタカタ音を抑制でき、また中柱のない住宅設置のシャッタ板にも適用でき、しかも一般家庭で設置が容易にして、取付けや取外しも簡単にできるなど優れた効果を発揮する。
【図面の簡単な説明】
【０００８】
【図１】本発明のシャッタ板の風圧変形抑制具の一形態で、その全体斜視図である。
【図２】図１と違う角度から見たシャッタ板の風圧変形抑制具の全体斜視図である。
【図３】住宅応接間に在るシャッタ板に図１の風圧変形抑制具を取付ける説明斜視図である。
【図４】図３のシャッタ板に風圧変形抑制具が取付けられた平面図である。
【図５】図４のV-V線断面図である。
【図６】図５のシャッタ板が強風で正規位置から屋外側へ動いた説明断面図である。
【図７】図５のシャッタ板が強風で正規位置から室内側へ動いた説明断面図である。
【図８】図４の室内側引戸を開け、風圧変形抑制具を取り外そうとする説明平面図である。
【図９】車庫に在るシャッタ装置周りを車庫内から見た説明図である。
【図１０】図９のシャッタ板に風圧変形抑制具が取付けられた図４に対応する平面図である。
【発明を実施するための形態】
【０００９】
以下、本発明に係るシャッタ板の風圧変形抑制具について詳述する。
図１〜図１０は本発明のシャッタ板の風圧変形抑制具(以下、単に「風圧変形抑制具」ともいう)の一形態で、図１,図２はその全体斜視図、図３は住宅応接間に在るシャッタ板に図１の風圧変形抑制具を取付ける斜視図、図４は図３のシャッタ板に風圧変形抑制具が取付けられた平面図、図５は図４のV-V線断面図、図６は図５のシャッタ板が強風で屋外側へ動いた断面図、図７は図５のシャッタ板が強風で室内側へ動いた断面図、図８は図４の室内側引戸を開け、風圧変形抑制具を取り外そうとする説明平面図、図９は車庫に在るシャッタ装置周りを車庫内から見た説明裏面図、図１０は図９のシャッタ板に風圧変形抑制具が取付けられた図４に対応する平面図を示す。尚、図面を判り易くするため、断面を示すハッチング表示を適宜省く。また図５〜図７では本発明に直接関係しない室内側の窓枠８３を省略する。
【００１０】
（１）実施形態１
本シャッタ板の風圧変形抑制具Ｐは、クッション体１と環体２と第一マグネット体３１と第二マグネット体３２と第一板片４と第二板片５と紐６２とを具備する。暴風等の戸締りで、図３のような住宅応接間に在るシャッタ装置７のシャッタ板７２を下方へ降ろしたケースに、本風圧変形抑制具Ｐが適用される。二つの窓枠８２,８３にそれぞれガラス板８４を入れた引戸で、応接間の窓開口７０を開け閉めできるようになっている。シャッタ板７２と該シャッタ板７２よりも内側の建具(ここでは外方窓枠８２)との隙間εに本風圧変形抑制具Ｐが挟まれる格好で取付けられる。
降ろしたシャッタ板７２に前記第一マグネット体３１を磁力吸着させる(図４)。一方、本実施形態の窓枠８２はアルミ・サッシからなるので、該シャッタ板７２よりも内側の該窓枠８２に磁石吸引片Ｆを固着し、該磁石吸引片Ｆに第二マグネット体３２を磁力吸着させて、前記シャッタ板７２と建具たる窓枠８２との間εに風圧変形抑制具Ｐを介在させる(図５)。
【００１１】
クッション体１は、ブロック状にして、少なくとも一面１１とこれの背面１２とが平行になる弾性を有する多孔質の塊状体である。本実施形態は、図１,図２のような直方体で、一面１１側(第一マグネット体３１側)の正面及び裏面側(第二マグネット体３２側)の背面１２を同形の縦長矩形とする。側面視で見ると、一面１１側及び背面１２側を形成する両クッション体部分が連通気泡タイプの発泡プラスチック製軟質発泡体層１Ａからなり、且つ両クッション体部分の間に該軟質発泡体層１Ａよりも低弾性の部材層１Ｂが挟まれた図５の三層構造にして一体化したクッション体１になっている。ここでの低弾性の部材層１Ｂは、独立気泡タイプの発泡プラスチック製硬質発泡体層とする。両軟質発泡体層１Ａの厚みに比べて、硬質発泡体層１Ｂの厚みは小さい。図１に示す直方体のクッション体１は、縦が約10cm、横が約6cm、層厚みが約6cmにして、例えば台所の食器洗い具や風呂場掃除具用で、硬質発泡体層１Ｂを一部に含むスポンジを用いることができる。尚、クッション体１を前記三層構造にせず、クッション体１に係る直方体全体を軟質発泡体で形成してもよい。
【００１２】
環体２は、帯状幅を有し、前記一面１１と前記背面１２の夫々の領域を含んで前記クッション体１に巻き付いて保持されるゴム製のリング状体である。本発明でいうゴム製環体２の「ゴム」には、天然ゴムや合成ゴムだけでなく、熱可塑性エラストマーも含む。ゴムと同じように弾性に富み、本発明と同様の作用,効果を発揮するからである。
環体２は、図１の略正面視となるクッション体１の縦長矩形に係る横長さよりもそのベルト幅(帯状幅)を少し小さくしている。ベルト幅を保って、一面１１たる正面から上面、背面１２、底面へと周回(一巻き)した環体２が、ゴムの有する粘性又はゴム弾性による密着力又は若干の締め付け力でもって、クッション体１に巻き付いて保持される。さらに、ここでは第二マグネット体３２寄りの環体２の部位とこれに当接するクッション体１の部位とが接着固定されている。図５のごとくクッション体１の上面及び下面で、夫々の背面１２寄りの箇所と、それら箇所に接する環体２の内面２ｂとを接着固定する。この接着固定部分Ｓにより、クッション体１から環体２が外れなくなる。
【００１３】
第一マグネット体３１は、クッション体１の前記一面１１たる正面に当接する環体２の部位に取付けられ、該環体２の外面２ａ側に露出形成される永久磁石からなる塊状体である。第一マグネット体３１の外観形状を図１ごとくの円盤形とし、複数個(四個)を互いに離間させて、図１の起立設置下、クッション体１の一面１１(正面)側の中間高さ域で、各第一マグネット体３１が露出するように突き出て横一列に並ぶ(図１)。
ここで、第一マグネット体３１及び次に述べる第二マグネット体３２を構成する磁石は、固体磁石又は可撓性磁石で、磁石は磁力が強力なＮｄ，Ｓｍ等のレアアースを含む希土類磁石や希土類鉄磁石が好ましく、本実施形態もこれらの固体磁石を採用する。
環体２から突出する該第一マグネット体３１の頂面３１ａを、暴風等の戸締りで降ろしたシャッタ板７２に磁力吸着させ、また第二マグネット体３２をアルミ・サッシの窓枠８２に固着した磁石吸引片Ｆに磁力吸着させて、シャッタ板７２と該窓枠８２(詳しくは磁石吸引片Ｆ)間の隙間εに風圧変形抑制具Ｐが取付けセットされる。図５の簡略図示したシャッタ板７２に限らず、側面視で様々な形状があるシャッタ板７２に係るスラット７２１の平板部分へ向け、第一マグネット体３１が環体２から外方へ突き出し、水平横長に配される前記平板部分の略中間地点に、該第一マグネット体３１が密着して磁力吸着できる突出部になっている。第一マグネット体３１は、複数の円盤に代え、スラット７２１の平板部分に収まる一個の横細長矩形盤としてもよい。また側面視で屈曲部分が多いスラット７２１にも対応できるように、第一マグネット体３１を、水平で横長に配する横細長矩形盤にして、上下方向(後述する第一板片４の板幅方向)に複数配置させてもよい。
【００１４】
第二マグネット体３２は、前記クッション体１の背面１２に当接する環体２の部位に取付けられ、該環体２の外面２ａ側に露出形成された永久磁石からなる塊状体である。ここでは外観形状を円盤とした一個の第二マグネット体３２が、図２,図４のごとく、起立状態下の背面１２(裏面)側に現れる環体２の中間高さ域にして、水平方向の略中央に取付けられる。前記第一マグネット体３１の頂面３１ａと該第二マグネット体３２の頂面３２ａとは平行になるよう設定される。
第二マグネット体３２は、シャッタ板７２よりも内側(室内側,屋内側)の建具又は該建具に固着した磁石吸引片Ｆに磁力吸着させるものであり、ここでは、建具たるアルミ・サッシの窓枠８２に固着した磁石吸引片Ｆに磁力吸着させて、風圧変形抑制具Ｐが取付けセットされる。
第二マグネット体３２に係る総数の磁石(ここでは一個)の総吸引力は第一マグネット体３１に係る総数の磁石(ここでは四個)の総吸引力よりも大きく設定される。シャッタ板７２が強風で煽られ、万一、環体２の弾性限界を超えて窓枠８２から離脱してしまう場合に、風圧変形抑制具Ｐを窓枠８２側に磁力吸着させて該窓枠８２に残すためである。
【００１５】
前記磁石吸引片Ｆは強磁性体の板片であり、強磁性体とは鉄,ニッケル,コバルト及びその合金などのように磁石に強く引き付けられる物質をいう。この磁石吸引片Ｆの一方の面に、例えば両面テープＴに係る片方の粘着剤層を貼着一体化させることによって、アルミ・サッシの窓枠８２に磁石吸引片Ｆを簡便に固着できる(図３)。両面テープＴ付き磁石吸引片Ｆとなって、窓枠８２との対向面側に粘着剤層と剥離材とが積層付与される。該剥離材を剥がして前記「アルミ・サッシの窓枠８２に固着した磁石吸引片Ｆ」となる。
尚、シャッタ板７２には磁石吸引片Ｆを要しない。通常のシャッタ板７２が、鉄,ニッケル等の磁石に強く引き付けられる強磁性体からなり、該シャッタ板７２に第一マグネット体３１を直かに磁力吸着させることができるからである。
【００１６】
第一板片４は、金属製の細幅板部材からなる。前記環体２の外面２ａに該第一板片４の基端部４１が固定され且つ該基端部４１を介して第一マグネット体３１が環体２に取付けられる(図１)。第一板片４が、環体２の外面２ａに該第一板片４の基端部４１が固定されるのに代えて、環体２の内面２ｂに第一板片４の基端部４１が固定されてもよい。第一板片４の先端部４２はクッション体１及び環体２から外方へ突出する。符号４２０は先端部４２に設けた透孔を示す。
【００１７】
第二板片５も、金属製の細幅板部材からなる。前記環体２の外面２ａに該第二板片５の基端部５１が固定され且つ該基端部５１を介して第二マグネット体３２が環体２に取付けられる(図２)。第二板片５が、環体２の外面２ａに該第二板片５の基端部５１が固定されるのに代えて、環体２の内面２ｂに第一板片４の基端部４１が固定されてもよい。第二板片５の先端部５２もクッション体１及び環体２から外方へ突出する。第二板片５の突出方向を第一板片４の突出方向とほぼ同方向にし、両板片４,５の先端側板面を平行にする。符号５２０は先端部５２に設けた透孔を示す。
【００１８】
紐６２は第一板片４の先端部４２と該第二板片５の先端部５２とに設けた夫々の透孔４２０,５２０を利用して端部分を夫々の先端部４２,５２に結合し、少し弛ませて両先端部４２,５２をつなぐ太い糸である(図２)。紐６２に代えて鎖にすることができる。符号６３は紐６２の中間部分にて、テープ等で太く巻いた握り部を示す。
【００１９】
本実施形態の第一板片４には、図４のごとく環体２を介してクッション体１の表面に当接し、且つ該クッション体１から外方へ突出する先端部４２の根元部位に、第二板片５側の先端へ向かって接近する傾斜板面部分４２１を形成し、さらに該傾斜板面部分４２１の先端から延在する先端部４２の先端部分４２２が設けられる。この先端部分４２２の板面が前記第二板片５の先端部５２の板面と平行になるよう設定されている。シャッタ板７２と窓枠８２との隙間εに取付けられた風圧変形抑制具Ｐは、該傾斜板面部分４２１を設けることによって、図８のようにシャッタ板７２と第一板片４に係る先端部分４２２との間にスペースができ、該先端部分４２２の外側へ手を差し入れ易くなる。また第一板片４の先端部分４２２と第二板片５の先端部５２との距離が近づき、両者を手で掴み易くなる。例えば、図８の風圧変形抑制具Ｐを外すときは、手で掴んで握るようにする。すると、第一マグネット体３１の頂面３１ａに対し難しいとされる垂直方向に引き離す場合であっても、梃の原理を働かせることによって、第一板片４の傾斜板面部分４２１,基端部４１を鎖線図示のごとく傾け、第一マグネット体３１をシャッタ板７２から引き離せるようになる。風圧変形抑制具Ｐをシャッタ板７２から外すとき等に役立つ。
尚、図示を省くが、第一板片４,第二板片５は、環体２を介してクッション体１の表面に当接するのに代えて、クッション体１の表面に直かに当接させながら、環体２と一体化させてもよい。第一板片４,第二板片５が、環体２と一緒にクッション体１の表面上を摺動でき、同様の効果を果たすからである。斯かる場合、該環体２の外面２ａに第一マグネット体３１,第二マグネット体３２が直かに固着される。
【００２０】
次に、本風圧変形抑制具Ｐの一使用法及び作用について述べる。
暴風や台風等の接近でシャッタ板７２を降ろして戸締りをするが、シャッタ板７２を下ろす前に、まず、風圧変形抑制具Ｐを取付けようとする屋外側窓枠８２に係る垂直部８２１の略中間高さの表面８２ａに、磁石吸引片Ｆを固着する(図３)。
【００２１】
続いて、図３のシャッタ板７２を完全に下ろす。次に、図８のごとく室内側の窓(引戸)を開け、その窓枠８３を屋外側の窓枠８２に重ねる。室内側から、開口７０した窓口８１を通って、窓枠８２に固着した磁石吸引片Ｆと、該磁石吸引片Ｆと対向するシャッタ板７２との隙間εに風圧変形抑制具Ｐを差し入れる。具体的には、第一マグネット体３１と第二マグネット体３２とが近づくように、一面１１と背面１２とのクッション体１の厚みを、手で弾性に抗して押し縮めて隙間εに差し入れ、その後、手を緩める。また、図８で、第一板片先端部４２と第二板片先端部５２を握り、第一板片４を同図の鎖線のように傾けて握り締め、さらにクッション体１の一面１１と背面１２間の厚みを小さくしたまま隙間εに差し入れ、その後、手を緩めてもよい。
手を緩めると、弾性復元で元の形に戻ろうとするクッション体１の動きと共に、第一マグネット体３１がシャッタ板７２のスラット７２１に磁力吸着し、第二マグネット体３２が窓枠８２に固着した磁石吸引片Ｆに磁力吸着して、風圧変形抑制具Ｐがシャッタ板７２と窓枠８２との間εに介在保持される。これで、暴風等で降ろしたシャッタ板７２のバタつきや変形を抑制する。後は、開けた室内側の窓(窓枠８３)を閉めるだけである(図４)。
ここで、風圧変形抑制具Ｐのクッション体１が図１の当初形状の状態で収まるのが好ましいが、窓枠８２に固着した磁石吸引片Ｆとシャッタ板７２との隙間εが狭い理由から、窓枠８２やシャッタ板７２からの圧力を受けて、該クッション体１が多少圧縮した状態で隙間εに収まるようなことがあっても支障はない。クッション体１は弾性変形可能な厚みが十分あり、さらなる圧縮にも十分対応できるからである。本風圧変形抑制具Ｐは、隙間εに多少の余裕幅をもって対応可能な融通性のきく発明品となっている。
【００２２】
こうして取付けられた風圧変形抑制具Ｐは、暴風等で煽られて、シャッタ板７２が図６の正規の鎖線状態(図５の当初状態)から実線で示した窓枠８２から離れる白抜矢印方向に移動しようとすると、シャッタ板７２に強力な第一マグネット体３１が磁力吸着しているので、ゴム製環体２が図示のごとく伸長する。第二マグネット体３２寄りの前記環体２の部位とこれに当接するクッション体１の部位とが接着固定されていると、クッション体１の背面１２に当接する環体２の部位での伸び代が少なくなる一方で、該環体２の第一マグネット体３１側への伸長に要する伸び代が確保される。ゴム製環体２の弾性変形が可能で、軟らかくて粘り強く且つよく伸びる性質が生かされる。
しかるに、環体２が伸長すればするほど、その伸長に比例して環体２に係るゴム弾性の大きな復元力が働き、シャッタ板７２が窓枠８２から離れるのを制止する。
さらに環体２の伸長で、図６のようにクッション体１の上面と下面に黒矢印方向の押さ込む力が働いてクッション体１が縮まるが、この反力によってもシャッタ板７２が窓枠８２から離れるのを抑える。環体２が伸びたことによる弾性復元力や、クッション体１が押さえ込まれたことによる反力で、シャッタ板７２が窓枠から離れようとする動きを抑制して、スラット７２１同士で擦れ合う音やシャッタ板７２がガイドレール７３と当たって放つ音を静める。
【００２３】
また、暴風等で煽られて、シャッタ板７２が図７の正規の鎖線状態(図５の当初状態)から実線で示した窓枠８２に近づく白抜矢印方向に移動しようとすると、その移動を、クッション体１が弾性変形して吸収する。シャッタ板７２に第一マグネット体３１が磁力吸着しているので、軟らかなクッション体１が図示のごとく凹む。凹む度合が増せば、クッション体１の弾性復元力が大きくなり、その大きさに比例して、煽られて窓枠８２に近づこうとするシャッタ板７２の動きを強く制する。
上述のごとく、第一マグネット体３１が環体２を介してクッション体１に入り込む。しかし、ここでは両軟質発泡体層１Ａの間に該軟質発泡体層１Ａよりも低弾性の部材層１Ｂが介在する三層構造にしている。よって、低弾性の部材層を越えた室内窓枠８２側の軟質発泡体層１Ａは部分的に凹むことにならず、図７の黒矢印のごとく暴風圧が略均等に加わり、その均等な弾性復元力が働くことになる。また環体２が弛むが、接着固定部分Ｓがあるのでクッション体１から外れ落ちることはない。
かくして、暴風等でシャッタ板７２が揺れ動く際に、風圧変形抑制具Ｐは、シャッタ板７２に加わる外向きの力に対して内向きの力で抑制する一方、シャッタ板７２に加わる内向きの力に対しては外向きの力で抑制して、それぞれ効果的にシャッタ板７２の動きを静める。スラット７２１が擦れ合う音や、シャッタ板７２とガイドレール７３との接触音が小さくなり、音自体を消せる場合もある。
【００２４】
そして、暴風等が去り、風圧変形抑制具Ｐを取り外す場合は、室内側引戸を開け、図８の握り部６３を手に持って白抜矢印方向に引き抜けば足りる。第一マグネット体３１,第二マグネット体３２等の磁石は頂面３１ａ,３２ａに対して垂直方向に引き剥がす場合には大きな力を要するが、白抜矢印方向のごとく頂面３１ａ,３２ａの面に沿う力で引き抜くと、第一マグネット体３１,第二マグネット体３２等をシャッタ板７２,磁石吸引片Ｆ(窓枠８２)から簡単に取り外せる。
尚、本実施形態は引戸窓枠８２に係る垂直部８２１の略中間高さの位置に一個の風圧変形抑制具Ｐを取り付けたが、引戸窓枠８２に係る垂直部８２１の高さ方向に所定ピッチで複数個の風圧変形抑制具Ｐを取り付けてもよい。そうすれば、シャッタ板の風圧による変形防止やカタカタ音の抑制効果を一段と高めることができる。
符号７１はシャッタケース、符号８５は窓枠８２,８３とガラス板８４とのシール部、符号ＦＳは第二マグネット体３２が磁力吸着する磁石吸引片Ｆの表面、符号ＦＲは窓枠８２へ取付ける磁石吸引片Ｆの裏面を示す。
【００２５】
（２）実施形態２
本シャッタ板の風圧変形抑制具Ｐも、クッション体１と環体２と第一マグネット体３１と第二マグネット体３２と第一板片４と第二板片５と紐６２とを具備する。
暴風等の戸締りで、図９のような車庫に在るシャッタ装置７のシャッタ板７２を下方へ降ろしたケースに、本風圧変形抑制具Ｐが適用される。下ろしたシャッタ板７２よりも内側(車庫内側)に建具たる中柱９を立設する。車庫の室内(車庫内)側に補強柱となる中柱９が起立配置される。中柱９はシャッタ装置７の設置当初から在るものでも、また暴風等の戸締り時に、後付け設置するものであってもよい。シャッタ板７２を下ろすと、図１０のように該シャッタ板７２と中柱９との間に図示ごとくの隙間εができる。
【００２６】
中柱９は、鉄,ニッケル,コバルト及びその合金などのように磁石に強く引き付けられる強磁性体からなる柱部材である。よって、本実施形態は磁石吸引片Ｆを用いずに風圧変形抑制具Ｐを建具たる中柱９に直接取付けセットできる。降ろしたシャッタ板７２に第一マグネット体３１を磁力吸着させ、且つ該シャッタ板７２よりも内側の中柱９で、第一マグネット体３１が吸着したシャッタ板７２の部位の対向面９１に、第二マグネット体３２を磁力吸着させる。シャッタ板７２と中柱９との間εに風圧変形抑制具Ｐを介在させて、シャッタ板７２の風圧による変形やカタカタ音を抑制する(図１０)。
他の構成は実施形態１と同様で、その説明を省く。実施形態１と同一符号は同一又は相当部分を示す。図中、符号ＧＬは地表を示す。
【００２７】
（３）効果
このように構成したシャッタ板の風圧変形抑制具Ｐは、シャッタ板７２と建具８２(又は９)間に介在させると、暴風等でシャッタが揺れ動こうとしても、クッション体１と環体２が弾性変形して、シャッタ板７２の風圧による変形やカタカタ音を抑制する。
暴風等の風圧で、シャッタ板７２が図６の正規の鎖線位置から実線で示す窓枠８２から離れる白抜矢印方向に移動しようとすると、その方向が第一マグネット体３１の頂面３１ａ及び第二マグネット体３２の頂面３２ａに対し垂直方向になる。斯かる方向での第一マグネット体３１,第二マグネット体３２とシャッタ板７２,建具８２(又は９)とは結合力が大である。よって、弾性変形可能なゴム製環体２が伸長する。
環体２が伸長すれば、該伸長に比例して環体２を構成するゴム弾性の復元力が大きくなり、シャッタ板７２が窓枠８２から離れるのを抑制する。さらに環体２の伸長で、図６のようにクッション体１の上面と下面に黒矢印方向の押さ込む力が働いてクッション体１を縮めるが、該クッション体１の反力によってもシャッタ板７２が窓枠８２から離れるのを制止しようとする。環体２が伸びることによる弾性復元力や、クッション体１が押さえ込まれたことによる弾性反力が、窓枠８２(又は中柱９)から離れようとするシャッタ板７２の距離に比例して大きくなってブレーキをかけ、シャッタ板７２のスラット７２１同士が擦れ合う音やガイドレール７３との間で放つ音を静める。
【００２８】
一方、暴風で煽られるシャッタ板７２が図７の正規の鎖線位置から実線で示す窓枠８２(又は中柱９)に近づく白抜矢印方向に移動しようとすると、その移動距離を、クッション体１が弾性変形して吸収する。シャッタ板７２に第一マグネット体３１が磁力吸着しており、軟らかなクッション体１が圧縮変形して対応する。ここで、圧縮変形する度合が増すに従い、クッション体１の弾性復元力は大きくなるので、白抜移動方向の移動をセーブし、シャッタ板７２の風圧による変形防止に役立つ。シャッタ板７２が中柱９や窓枠８２にぶつかるのを防ぎ、またスラット７２１の擦れ合う音を抑えることができる。
特に、図３のような居住用家屋で、下ろしたシャッタ板７２が暴風等の風圧によってカタカタ音をたてると、部屋に居る住民にとって耳障りになったり、さらに不安に駆られたりするが、本風圧変形抑制具Ｐを設置すれば、そうした問題を解消する。該カタカタ音を抑制し、さらになくせる場合もあり、住民の暴風等への不安を効果的に取り除く。
【００２９】
さらに、本風圧変形抑制具Ｐは、第一マグネット体３１をシャッタ板７２に磁力吸着させ、第二マグネット体３２を中柱又は窓枠８２に固着した磁石吸引片Ｆに磁力吸着させて、セットするので、一般家庭でも簡単に取付けできる。
スラット７２１への特許文献１のようなプレート部の溶接工事を要しない。それでいて、風圧で図６の鎖線位置から実線で示す窓枠８２からシャッタ板７２が離れる白抜矢印方向は、第一マグネット体３１の頂面３１ａや第二マグネット体３２の頂面３２ａに対し垂直方向になるので、第一,第二マグネット体３１,３２はシャッタ板７２や建具９,磁石吸引片Ｆに一旦磁力吸着すると、離脱し難い。磁石の特性から、垂直方向におけるシャッタ板７２や建具９,磁石吸引片Ｆと、第一マグネット体３１,第二マグネット体３２との結合力が強大であるので、シャッタ板７２の変動を抑える風圧変形抑制具Ｐとして有効に機能発揮できる。
一方で、シャッタ板７２や建具９又は建具８２に固着した磁石吸引片Ｆに磁力吸着した風圧変形抑制具Ｐは、図８の白抜矢印のように、第一マグネット体３１の頂面３１ａや第二マグネット体３２の頂面３２ａの面方向に沿ってずらせば、磁石の特性によって、建具又は該建具に固着した磁石吸引片Ｆ等の設置場所から、該風圧変形抑制具Ｐを容易に取り外すことができる。使い勝手も優れた風圧変形抑制具Ｐとなっている。しかも、風圧変形抑制具Ｐは、その構成から比較的低コストで提供できる。
【００３０】
加えて、本風圧変形抑制具Ｐは、図１０のような車庫のシャッタ板７２と中柱９との隙間εに設置できるだけでなく、特許文献１では困難な図３に示す住宅応接間等に在るアルミ・サッシの窓に設けたシャッタ装置７にも適用できる。本風圧変形抑制具Ｐは、シャッタ板７２と該シャッタ板７２よりも内側の建具たる中柱９の対向面９１又は建具たる窓枠８２の表面８２ａに固着した磁石吸引片Ｆとの間εに介在させる構成であるので、中柱９に巻き付く構成部分(特許文献１の可動部材)がなく、図３のシャッタ装置７のシャッタ板７２にも難なく適用できる。
かくのごとく、本発明の風圧変形抑制具Ｐは、上述した数々の優れた効果を発揮し、極めて有益である。
【００３１】
尚、本発明においては前記実施形態に示すものに限られず、目的,用途に応じて本発明の範囲で種々変更できる。クッション体１,環体２,第一マグネット体３１,第二マグネット体３２,第一板片４,第二板片５,紐６２,磁石吸引片Ｆ,シャッタ装置７,シャッタ板７２,等の形状,大きさ,個数,材料,材質等は用途に合わせて適宜選択できる。
【符号の説明】
【００３２】
１              クッション体
１Ａ            軟質発泡体層
１Ｂ            低弾性の部材層（硬質発泡体層）
２              環体（ゴム製環体）
３１            第一マグネット体
３２            第二マグネット体
４              第一板片
４２１          傾斜板面部分
５              第二板片
６２            紐
７２            シャッタ板
８２            窓枠（建具）
９              中柱（建具）
ε              隙間（間）
Ｆ              磁石吸引片
Ｐ              風圧変形抑制具
【要約】
【課題】シャッタ板の風圧変形抑制具を提供する。
【解決手段】ブロック状にして、少なくとも一面とこれの背面とが平行になるクッション体１と、帯状幅を有し、前記一面１１と前記背面１２の夫々の領域を含んで前記クッション体１に巻き付いて保持されるゴム製環体２と、前記一面１１に当接する前記環体２の部位に取付けられ、該環体２の外面側に露出形成された第一マグネット体３１と、前記背面１２に当接する前記環体２の部位に取付けられ、該環体２の外面側に露出形成された第二マグネット体３２と、を具備し、降ろしたシャッタ板７２に前記第一マグネット体３１を磁力吸着させ、且つ該シャッタ板７２よりも内側の建具又は該建具に固着した磁石吸引片Ｆに前記第二マグネット体３２を磁力吸着させて、該シャッタ板７２と該建具間に介在させる。
【選択図】図４【図１】
0006831938.tif 000002
【図２】
0006831938.tif 000003
【図３】
0006831938.tif 000004
【図４】
0006831938.tif 000005
【図５】
0006831938.tif 000006
【図６】
0006831938.tif 000007
【図７】
0006831938.tif 000008
【図８】
0006831938.tif 000009
【図９】
0006831938.tif 000010
【図１０】
0006831938.tif 000011